(57)【特許請求の範囲】
【請求項１】
建築物又は構造物の上縁部分に、外上向きに傾斜した複数のルーバーパネルを段状に設置し、上記複数のルーバーパネルのすべてについて外側の上端部には垂直の雪切板を形成し、雪切板には多数の透孔を貫通形成したことを特徴とする雪庇発生防止装置。
【請求項２】
段状に設置された上記上下段のルーバーパネルにおいて、上段のルーバーパネルの下端は、それよりも一段下の下段のルーバーパネルの上端よりも高く形成されていることを特徴とする、請求項１に記載の雪庇発生防止装置。
【請求項３】
上記段状のルーバーパネルとルーバーパネルの外側上端部に取り付けられた雪切板と上記ルーバーパネルの両端を固定する側板とはユニット化されていることを特徴とする、請求項１又は２に記載の雪庇発生防止装置。
【発明の詳細な説明】
【技術分野】
【０００１】
本発明は、建築物におけるパラペットの上縁部分、笠木の上縁部分、高架鉄道や高架道路における防護壁や工作物（広告塔、看板等）などの構造物の上縁部分などに発生する雪庇を防止する雪庇発生防止装置に関する。
【背景技術】
【０００２】
従来、上述のような建築物や構造物の上縁部分には、降雪時に雪庇が発生しやすかった。すなわち、例えば建築物の上縁部分（例えばパラペット）では、屋根面に沿って吹く風とともに運ばれてきた飛雪が、パラペットの笠木を吹き越す際に渦状になって戻り、その粘着性により壁面等に付着しながら風下に向かって成長し発達し、雪庇となるのである。このように、吹雪の時に限って発生雪庇が発生し、雪庇が増大すると、軒下などに落下するなどして、通行人等に危害を与える危険性がある。
【０００３】
また、上記防護壁の上縁部分などに雪庇が発生した場合も、同様な心配があるとともに高架鉄道や高架道路内外に落下した場合は、交通の障害になるなどの問題がある。
【０００４】
そこで、特許文献１に示されるように、建築物や構造物の上縁部分の直上位置に、横断面が上記構造物の外側から内側に向かって低く傾斜する傾斜面を有する三角形状の吹上げ部を形成する構造が提案されている。これによれば、構造物の内側から外側に向かって吹いてくる風は傾斜面に沿って上方に誘導されて吹上げられるので、構造物の上縁部分上で風速が加速されるとともに、構造物から離れたときに生じる風の渦は構造物から離れた位置で発生する。したがって、雪庇の発生を有効に防止することができる。
【０００５】
しかしながら、特許文献１に示す雪庇発生防止装置は、比較的小型であるため、積雪量の多い地域において吹き飛ばし能力以上の降雪があるときは、雪庇を発生させてしまうという問題がある。これに対応するためには、雪庇発生防止部材の高さを高くする必要がある。
【０００６】
そこで、上記問題に対応するため、外上向きに傾斜するルーバーパネルを多段に設置する多段ルーバー方式の雪庇発生防止装置が考えられている（特許文献２参照）。これによれば、傾斜ルーバーパネルが多段に設けられているから、吹き飛ばし効果を向上させるために高さを増大させても底面積が大きくなることはないから、設置面積は小さくて済む。このため、設置場所に制約を受けることがない。
【先行技術文献】
【特許文献】
【０００７】
【特許文献１】特許第２８８２９８８号公報
【特許文献２】特許第４１６４４０５号公報
【発明の概要】
【発明が解決しようとする課題】
【０００８】
しかしながら、特許文献２の装置では、間隔をおいて多段に設置されたルーバーパネルとルーバーパネル間の隙間が外部に露出し、ルーバーパネルの裏側が見え、外観が損なわれるという問題がある。
【０００９】
本発明は前記問題点を解決し、設置スペースを節減できるとともに、風の影響が小さく、しかも外観が損なわれることがない雪庇発生防止装置を提供することをその課題とする。
【課題を解決するための手段】
【００１０】
前記第１の課題を解決するため、請求項１に係る発明は、建築物又は構造物の上縁部分に、外上向きに傾斜した複数のルーバーパネルを段状に設置し、上記複数のルーバーパネルのすべてについて外側の上端部には垂直の雪切板を形成し、雪切板には多数の透孔が貫通形成されていることを特徴とする。
【００１１】
【００１２】
請求項２に係る発明は、請求項１において、段状に設置された上記上下段のルーバーパネルにおいて、上段のルーバーパネルの下端は、それよりも一段下の下段のルーバーパネルの上端よりも高く形成されていることを特徴とする。
【００１３】
請求項３に係る発明は、請求項１又は２において、上記段状のルーバーパネルとルーバーパネルの外側上端部に取り付けられた雪切板と上記ルーバーパネルの両端を固定する側板とはユニットかされていることを特徴とする。
【発明の効果】
【００１４】
請求項１に係る発明によれば、建築物又は構造物の上縁部分に、外上向きに傾斜した複数のルーバーパネルを段状に設置したので、ルーバーパネルは、建築物又は構造物の内側から外側に向かって高くなるように傾斜している。このため、建築物又は構造物の内側から外側に向かって吹いてくる風の風速はルーバーパネルの傾斜面に沿って移動する際に加速されつつ、上方に誘導されて吹上げられる。このため、建築物から離れたときに生じる風の渦は建築物から屋外側に離れた位置で発生する。このように、建築物の上縁部分上の雪はルーバーパネルの傾斜面で吹払われ、また雪庇を発生させる風の渦も上記上縁部分から外側に離れた位置で生じるので、雪庇の発生を有効に防止することができる。
【００１５】
また、風がなく雪が降る日が続くと、最上段のルーバーパネルの上部には雪が降り積もることがあるが、積雪は圧密沈降した際、最上部の雪切板によって切除されるので、大きな雪庇となることはない。
【００１６】
また上記最上部の雪切板には透孔が形成されているため、雪切板と雪との間の摩擦係数が低くなり、積雪の切除がされやすい。
【００１７】
さらに、雪切板によって上下段のルーバーパネル間の隙間が小さくなるが、雪切板には多数の透孔１２が形成され、これらは上下段のルーバーパネル間を通過する風の通り孔となるので、ルーバーパネルの傾斜面による雪の吹き飛ばし効果が阻害されないから、雪切板によって雪庇の発生防止は阻害されない。加えて、装置の高さが高くなると、装置に加わる風圧が大きくなり、特に多段に形成された雪切板は風圧が加わる面積が大きい。しかし、雪切板には多数の透孔が形成され、風の通りがよく、風圧による影響は軽減される。
【００１８】
また、各ルーバーパネル８の外側の上端部には雪切板９が垂直に形成されているので、外部からは直接には雪切板９のみが建築物の上縁部分２に壁状に現れるので、ルーバーパネルの裏側が見えることによって外観が損なわれることはない。
【００１９】
また、上記多数の透孔は、パンチング加工によって形成されることができるから、多数の透孔付きルーバーパネルの製作を容易に行うことができる。
【００２０】
請求項２の発明によれば、上段のルーバーパネの下端は、それよりも一段下の下段のルーバーパネルの上端よりも高く形成されているから、風はないのに雪が降る日が続くことにより上下のルーバーパネル８間に雪が積もっても、雪の高さは下段のルーバーパネルよりも高くなる。高くなった部分は、下段のルーバーパネル８の雪切板９に臨むことになるが、雪切板９の透孔１２を通過した日光が雪面にあたって暖められ、融雪が進行するとともに、風圧により屋外側に押し出されるので、透孔１２から外に出て垂れ落ちてしまう。したがって、上下のルーバー間に雪が詰まって雪庇発生の防止効果が損なわれることはない。
【００２１】
請求項３に係る発明によれば、左右の両側板とルーバーパネルと雪切板とは予めユニット化されているので、建築物又は構造物の上縁部分に容易かつ迅速に施工でき、また搬入時、施工時などに部品が紛失するなどのトラブルを未然に回避することができる。
【図面の簡単な説明】
【００２２】
【図１】本発明に係る雪庇発生防止装置の組み上りと分解状態を示す斜視図
【図２】雪庇発生防止ユニットの分解斜視図
【図３】雪庇発生防止装置の縦断面図
【図４】雪庇発生防止ユニットの組立態様を示す横断面図
【図５】雪庇発生防止装置による雪庇の発生防止の説明図
【図６】圧密沈降による雪庇の切除を示す説明図
【図７】雪の上下のルーバーパネル間の融雪状態を示す説明図
【発明を実施するための形態】
【００２３】
図１において符号Ａは雪庇発生防止装置である。この雪庇発生防止装置は、建築物のパラペット１の上縁部分（構造物の上縁部分でもよい）２に垂直に設置された複数の支柱３間に雪庇発生防止ユニットａを配設したもので、支柱３は、上縁部分２に固定された角筒状の支柱支持部材４の外側にアルミニウムの押出型材から支柱本体５を嵌合してボルトで固定することにより構成されている。３ａはキャップである。
【００２４】
支柱支持部材４は板状体６の中央上部に比較的短い柱部７を設けたものであり、支柱本体５は柱部７と嵌合している。
【００２５】
次に、雪庇発生防止ユニットａは、図２に示されるように、左右の両側板７間に外上向きに傾斜した複数のルーバーパネル８を段状に固定し、各ルーバーパネル８の外側の上端部には垂直の雪切板９を形成してなるもので、ルーバーパネル８の上下両端には逆方向に屈曲する屈曲片８ａ、８ｂが形成され、図３に示されるように、パネル本体と屈曲片８ａ、８ｂとの連結部近傍にはビスホール１０が形成されている。各ルーバーパネル８は、その両端を側板７に突き当て、側板７の外側から挿通されたネジ１１をビスホール１０に螺着することにより固定されている。
【００２６】
なお、段状に設置された上下段のルーバーパネル８、８において、上段のルーバーパネル８の下端は、それよりも一段下の下段のルーバーパネル８の上端よりも高くなるように位置決めされている。
【００２７】
次に、雪切板９には多数の透孔１２が形成されているが、これらの透孔１２は、パンチング加工によって形成すればよい。他の穿孔手段によってもよい。透孔１２の大きさは一定である必要はなく、大きさの異なるものが混在していてもよい。また各透孔の間隔も、本実施形態に限られたものではない。
【００２８】
図３に示されるように、雪切板９の下端内側には長手方向に沿ってボルト頭の嵌合溝１３が形成されている。雪切板９は、上記嵌合溝１３にボルト１４の頭部をスライド嵌合し、このボルト１４を側板７に固定されたルーバーパネル８の上端の屈曲片８ａに設けられたボルト孔８ｃに挿通し、ナット１５で固定されている。また、ルーバーパネル８と雪切板９の両側端部は、側板７の屋外側に屈曲形成された補強片７ａ（図１参照）に当接している。
【００２９】
各雪切板９の下端は取り付けられる段のルーバーパネル８の上端と重なり合っているのでほぼ同じであるが、各雪切板９の上端１６はその上段のルーバーパネル８の下端１７よりも高くなるように配置固定される。
【００３０】
なお、ルーバーパネルと雪切板とを一体の板状体から形成し、雪切板に対応する部位に透孔を形成してもよい。
【００３１】
また、最上部の雪切板９は従来のものと同様に、透孔を設けない板状体であってもよい。
【００３２】
ルーバーパネル８の傾斜面は、図５に矢印で示すように建築物の内側から外側に向かって吹いてくる風を上方に誘導して風速を加速させ、また、建築物から屋外側に離れたときに生じる風の渦を、建築物の壁面から離すためのもので、所定の角度をもって形成されている。ルーバーパネル８の水平面に対する傾斜角は、実験によれば、θ＝５５°程度から風下に発生する渦が構造物の壁面から離れることが判明した。したがって、θ≧５０°とすればよい。
【００３３】
なお、ルーバーパネルを設ける段数も特に制限はない。風の強弱、降雪量の多寡等に応じて決めればよい。
【００３４】
雪庇発生防止ユニットａを支柱３に取り付けるときは、図４に示されるように、支柱３の両側に雪庇発生防止ユニットａを配置し、一方の雪庇発生防止ユニットａの側板７から支柱３に貫通させたボルト１７をさらに他方の雪庇発生防止ユニットａの側板７を貫通させ、ナット１８で固定すればよい。
【００３５】
次に、上記構成の雪庇発生防止装置の作用について説明する。
【００３６】
上述のように、建築物又は構造物の上縁部分２に、外上向きに傾斜した複数のルーバーパネル８を段状に設置したので、ルーバーパネル８は、建築物又は構造物の内側から外側に向かって高くなるように傾斜している。このため、図５に示したように、建築物又は構造物の内側から外側に向かって吹いてくる風の風速はルーバーパネル８の傾斜面に沿って移動する際に加速されつつ、上方に誘導されて吹上げられる。このため、建築物から離れたときに生じる風の渦は建築物から屋外側に離れた位置で発生する。このように、建築物の上縁部分２上の雪はルーバーパネル８の傾斜面で吹払われ、また雪庇を発生させる風の渦も上記上縁部分２から外側に離れた位置で生じるので、雪庇の発生を有効に防止することができる。
【００３７】
また、風がなく雪が降る日が続くと、最上段のルーバーパネル８の上部には雪が降り積もることがあるが、図６に示されるように、積雪は圧密沈降した際、最上部の雪切板９によって切除されるので、大きな雪庇となることはない。しかも、上記最上部の雪切板には透孔が形成されているため、雪切板と雪との間の摩擦係数が低くなり、積雪が切除されやすい。
【００３８】
さらに、雪切板９によって上下段のルーバーパネル８間の隙間が小さくなるが、雪切板９には多数の透孔１２が形成され、これらは上下段のルーバーパネル８間を通過する風の通り孔となるので、ルーバーパネル８の傾斜面による雪の吹き飛ばし効果が阻害されないから、雪切板９によって雪庇の発生防止は阻害されない。加えて、装置の高さが高くなると、装置に加わる風圧が大きくなり、特に多段に形成された雪切板９は風圧が加わる面積が大きい。しかし、雪切板９には多数の透孔１２が形成され、風の通りがよく、風圧による影響は軽減される。
【００３９】
また、各ルーバーパネル８の外側の上端部には雪切板９が垂直に形成されているので、外部からは直接には雪切板９のみが建築物の上縁部分２に壁状に現れるので、ルーバーパネルの裏側が見えることによって外観が損なわれることはない。
【００４０】
ルーバーパネル８の多数の透孔１２は、パンチング加工によって形成されることができるから、多数の透孔付きルーバーパネル８の製作を容易に行うことができる。
【００４１】
さらに、上段のルーバーパネル８の下端は、それよりも一段下の下段のルーバーパネル８の上端よりも高く形成されているから、風はないのに雪が降る日が続くことにより上下のルーバーパネル８間に雪が積もっても、雪の高さは下段のルーバーパネル８よりも高くなる。高くなった部分は、下段のルーバーパネル８の雪切板９に臨むことになるが、図７に示されるように、雪切板９の透孔１２を通過した日光が雪面にあたって暖められ、融雪が進行するので、透孔１２から外に出て垂れ落ちてしまう。したがって、上下のルーバー間に雪が詰まって雪庇発生の防止効果が損なわれることはない。
【００４２】
また、左右の両側板７とルーバーパネル８と雪切板９とは雪庇発生防止ユニットａとして予めユニット化されているので、支柱３に取り付けるときは、ボルト１７とナット１８で固定すればよいので、容易かつ迅速に施工でき、また搬入時、施工時などに部品が紛失するなどのトラブルを未然に回避することができる。
【００４３】
なお、透光の数や大きさなどは、このような場合を考慮して形成すればよい。
【符号の説明】
【００４４】
Ａ  雪庇発生防止装置
ａ  雪庇発生防止ユニット
２  上縁部分
３  支柱
８  ルーバーパネル
９  雪切板
１２  透孔
【図１】
0005822193.tif 000002
【図２】
0005822193.tif 000003
【図３】
0005822193.tif 000004
【図４】
0005822193.tif 000005
【図５】
0005822193.tif 000006
【図６】
0005822193.tif 000007
【図７】
0005822193.tif 000008